(57)【要約】【課題】    薄くて強固であって結露のない曇らないでかつ、太陽光中に含有する熱線、遠赤外線のような熱源を遮断して省エネルギー化を実現して、従来の板ガラスとサッシの加工無しに交換できる簡便な複層ガラスを構成する。【解決手段】複数枚の板ガラス部材で構成する複層ガラスにおいて、太陽光に接する外部ガラス部材は、熱線、近赤外線を一部反射して吸収する材料より構成する。部屋に面した内側のガラス部材は、内面に遠赤外線反射材をコーテングしておく。かつ内面のガラス部材は遠赤外線を反射する材料を含んでいる。外面と内面のガラス部材間には、遠赤外線、熱線の反射が可能な少なくとも反射波伝播１波長分の間隙、中空部を設ける。この間隙、中空部は乾燥剤よりなる極薄のスペーサによって構成する。極薄であるため、従来の板ガラス部材と同じ厚さの構造であるから、交換の際に従来のサッシをそのまま使用できる。【選択図】図１
2008308402.tif 000002
【特許請求の範囲】
【請求項１】
複数枚のガラス部材より構成する複層ガラスにおいて、複数の板ガラス間の間隙中空層を形成するためのスペーサを設けて、前記スペーサは複数のガラス部材間の間隙中空層に温度等の変化を起因として発生する露点によって、水蒸気、湿気、結露の付着によるガラス部材面の曇りを防止して常に透明な状態を保つ事を目的として、該スペーサに乾燥剤を含有させて水分、湿気を除去する手段と、
複数枚のガラス部材の外側は、熱線、近赤外線を吸収するガラス部材より構成して、内側のガラス部材の面に熱線、遠赤外線を反射する部材をコーテングもしくは、熱線、遠赤外線を反射するフィルムを該ガラス部材に貼り付けて、室内に熱気の侵入を防ぐ手段と、
該複数枚で構成した複層ガラス部材は、前記乾燥材スペーサを薄くした構造にして、従来のガラス部材厚と同等にして、従来使用のサッシに容易に装着可能にした事を特徴とする熱線、遠赤外線侵入防止ガラス。
【請求項２】
前記記載の複数枚のガラス部材から構成する複層ガラス部材の外側のガラス部材は、熱線、近赤外線を吸収する物質を含有してあって、内側、部屋側のガラス部材は中空部、間隙側の表面に遠赤外線、熱線を反射する物質を含むフイルムの添付もしくは、コーテング材を塗布する手段と、
本複層ガラス部材は熱線、近赤外線、遠赤外線の透過を防ぐ手段を設けて室内の温度上昇を阻止する事を特徴とする熱線、遠赤外線侵入防止ガラス。
【請求項３】
前記請求項１に記載の複数のガラス部材は、間隙、中空部を挟んで外側と内部側のガラス部材の大きさに差異を設ける手段と、
外部、内部の板ガラスの大きさが異なる事によって段差が生じて、シリコンゴム等によるシーリング剤が強固に複数のガラス部材を封着する事を特徴とする熱線、遠赤外線侵入防止ガラス。
【請求項４】
前記請求項４における乾燥剤を含有したスペーサは、少なくとも長さ方向の半分以上は接着剤、接着テープは付着しないで露出した構成にして、乾燥材の表面露出部を大きくして、複層ガラス部材構成部の中空層の乾燥効果を増進する事を特徴とする熱線、遠赤外線侵入防止ガラス。
【請求項５】
前記請求項１に記載の該複層ガラスは、厚さ形状ともに従来の汎用ガラス部材と同一にしてあって、既存のホームガラスサッシに特別な加工手段を使わないで、装着できる事を特徴とする熱線、遠赤外線侵入防止ガラス。
【請求項６】
前記請求項１に記載の乾燥材による結露防止効果は、該複層ガラスを構成する複数枚のガラス部材をコーキングもしくは、他の部材によってシーリングして空気、湿度を遮断する事を特徴とする熱線、遠赤外線侵入防止ガラス。
【請求項７】
前記請求項１に記載の複層ガラス部材の構成は、温度を遮断する手段として外気温度と熱伝播光波長の侵入を阻止するために、近赤外線、中赤外線の吸収とガラス部材と遠赤外線反射ガラス部材、反射コーティング、反射フィルム材を該内側、部屋側のガラス部材に貼り付けた事を特徴とする熱線、遠赤外線侵入防止ガラス。
【請求項８】
前記請求項１に記載の複層ガラス部材の構成において、複数のガラス部材のどちらか一方を強化ガラス材を使用して防災、防火、防犯に対応する事を特徴とする熱線、遠赤外線侵入防止ガラス。
【請求項９】
前記請求項１に記載の複層ガラス材の片面にＩＣタグユニットを装着してガラスの破断、不正侵入を検知する事を特徴とする熱線、遠赤外線侵入防止ガラス。
【請求項１０】
前記記載のＩＣタグユニットは、相互に情報を送受信できてノード間を接続して電波到達距離を長くする事を特徴とする熱線、遠赤外線侵入防止ガラス。
【発明の詳細な説明】
【技術分野】
【０００１】  本発明は、ガラス部材である複層ガラスを使った熱線、遠赤外線侵入防止ガラス、ガラス材の破壊検知に関するものである。
【背景技術】
【０００２】  人はより快適な環境を望む。住宅、オフィスには多様なガラス部材が使われている。ガラス部材は、快適な空間を維持するのと中で居住して働く人の健康を増進しかつ、作業効率に貢献する。【０００３】  さらに、高性能な複層ガラス部材を使用して快適な空間の維持のために外部光の制御が出来れば、なお効率的である。犯罪等から内部の人たちを保護する機能をもっていれば、都合が良い。そのためには、安全性の高い強固な構造をもったガラス部材が必要である。【０００４】  理想的なガラス部材は、太陽光のうち波長の長い熱線、近赤外線を吸収して、遠赤外線を反射して不要な波長の光を遮断できるガラス部材であって、災害時には強度があって、風水害に耐えられてかつ、犯罪者が容易に侵入できない構造であれば一層よい。【０００５】  このようなガラス部材は、今まで種々提案されてきた。複層ガラスも同様であって他には、金属線を封入した板ガラス、網入り板ガラスがある。強化ガラスの効果を持たせたものである。【０００６】  太陽熱が途中の空気を熱せずに地面を直接熱するのは、放射によるものである。放射は電磁波によるエネルギー移動でマクスウェルの方程式に従う過程である。熱を伝えるのに役立つのは、おもに不可視光の赤外線であって、波長０．７５μｍから数ミリｍであり、熱線ともよばれている。【０００７】  複層ガラスは二枚の合わせガラスであって、近赤外線（０．８〜１．５μｍ）を吸収するガラスと遠赤外線（１．５μｍ以上）を反射するガラス部材を合わせて構成する。従って、室内が熱くなる現象を避ける事ができる。【０００８】  複層ガラスは、防音、強度、温度の遮断による省エネルギー効果が得られる。しかし内部に水蒸気がたまって曇りやすいとか、構造上二枚のガラス材から成るため、ガラス部材の板厚が厚くなってガラス部材を収納する従来のサッシが使えない。従って、ガラスサッシも交換しなくてはならないため、コストの負担が多くなる。かつ、取り付け加工にも困難があった。【０００９】  そこで本発明は、複層ガラスの利点を生かしてかつ、従来のガラス部材と厚みを同じにして、サッシの交換も加工も必要ない構成を提供する。ガラス部材内部に湿気が溜まらないで常に透明な状態を保って、熱線、近赤外線の吸収と、遠赤外線を反射して内部に熱を通さない省エネルギー効果のあるガラス部材の構成を提供する。
【特許文献１】  特開  ２００７−３９２９９
【特許文献２】  特開  ２００７−２６５６
【非特許文献１】ＥＤＮ  ＪＡＰＡＮ  ｎｏ．７４  ２００７．４  ｐｐ８１−８４
【発明の開示】
【発明が解決しようとする課題】
【００１０】  解決しようとする問題点の一つは、複層ガラス内部に溜まった水蒸気、湿気を除去して曇らない構造にする事。複層ガラスは２枚のガラスを合わせた構造であるから、必然的に厚くなる。従って、従来の板ガラスと交換する際、ガラス体を収めるサッシも交換するという欠点があった。【００１１】  室外と室内に温度差が生じてガラス部材が収縮しても、遮音効果を損なわず複層ガラス内部の水蒸気の発生を防止してガラス面が曇らないようにする事と室内、内部に熱線、近赤外線の吸収と、遠赤外線を反射して通さない省エネルギー効果を実現する。
【課題を解決するための手段】
【００１２】  本発明は、上記課題を解決するために室外面のガラスは熱線吸収物質を含んだガラス材質、熱線反射ガラス材で構成する。太陽光エネルギーに含まれる熱線のうち近赤外線は内部に透過させないで吸収する。遠赤外線は反射して室内に入れない。【００１３】  ２枚のガラス部材には乾燥剤を含有して構成した極薄いスペーサによって、僅かな空隙又は、間隙を設ける。この空隙は少なくとも遠赤外線波長１．５μｍ以上の波長を反射して外部に排出する間隙を設ける。室内側のガラス体の外側には、遠赤外線反射コーテング剤を塗布するか、熱線、遠赤外線反射用のフィルムを貼っておく。【００１４】  少なくとも外部光からの熱線、近赤外線を吸収して遠赤外線は反射する。したがって夏の西日を遮光できるから、熱気から人体、財産の保護が可能である。さらに省エネルギー効果が期待できる。
【発明の効果】
【００１５】  本発明による複層ガラスは、外気面に熱線吸収ガラス部材を設けて、遠赤外線の波長反射用の僅かな間隙を内側のガラス部材に設ける。この間隙は外側と内側を密着する接着剤と間隙を得るためのスペーサを兼ねた乾燥剤よりなる物質によって構成する。この物質の厚さは極薄であって、遠赤外線反射波伝播長だけあればよい。従って１，２ミリもあれば十分である。従来のホームガラスサッシはそのまま使用できることに特徴がある。従来のガラス溝は９ｍｍ程度である。これに収まれば特別な加工をしないで本複層ガラスと交換できる。【００１６】  複層ガラス部材内部に発生した水蒸気、湿気はこのスペーサの乾燥剤物質によって吸収されるからガラスが曇る事はない。あわせて、極薄い間隙を設けてあるので遮音、防音と熱伝導の遮断効果がある。さらに従来の板ガラスと厚さが同じためガラス取付け用のサッシの交換、加工作業は簡便で済む。【００１７】  複層ガラスの外部側は、太陽光の熱線、近赤外線の吸収と反射するガラス部材より構成する。内側のガラス部材は、外面に近赤外線の吸収と遠赤外線反射コーテングがしてあって室内に近赤外線、遠赤外線の侵入を防いで、西日の暑さから人体を保護する効果がある。
【発明を実施するための最良の形態】
【第１実施形態】
【００１８】  本発明は、建築物、車両、船舶、航空機、ショーウインドウ等のガラス部材の構成に関するものである。以下図１乃至図５に基づいて説明する。
【００１９】  図１は、本発明の複層ガラスの全体図を示す。図において１１は複層ガラスの全体構成を示し、１２と１３はガラス体である。図の例では、１３が室外側であって、１２は室内側である。
【００２０】  １４はガラス体１２と１３の間隙を示す。この間隙は極めて薄く熱線、遠赤外線の反射に必要な厚みである。従って、従来のガラス部材との交換の際、ホームガラスサッシを新しくしなくても良いし、サッシの追加加工の必要はない。従来あるものをそのまま使うことができる。
【００２１】  １５は接着剤であって両面テープでも良い。１６はスペーサであって、本発明では乾燥剤の含有した部材を使う。１６ａはスペーサ、乾燥剤の露出部であって、接着剤は付着していないから乾燥効果増進する作用がある。１４の間隙に溜まった湿気、水蒸気、結露を吸収して１２，１３のガラス体が曇るのを防止する。
【００２２】  １５、１６の接着剤は、複層ガラスの周囲を被って両ガラス部材を固定している。図１は断面図であって、図においては上下に１５，１６を示している。さらにガラス部材１２，１３はどちらかを一方より長くしてある。
【００２３】  図に示すように段差をもうけておいて非対称にしている。これは１７，１８で示すシリコンゴム等で構成したシーリング剤が載り易く、かつ１２，１３のガラス部材を強固に固定するためである。１２か１３のどちらか一方を強化ガラス部材にすれば防犯、防災上効果を相乗させることができる。
【００２４】  従来例では１７、１８のシーリングは中央部にスペーサを設けて１６をＴ型の構造体にしてあった。１２，１３は同じ大きさの形状であって対称である。従って、１７、１８のシーリングの中央下にスペーサを設けて、１２，１３のガラス体を挟んでスペーサ１６に接着剤１５を塗布して両ガラス部材を固定すれば、複層ガラスは構成できる。なお、先に説明したように１６ａの乾燥剤突起部によって乾燥効果が増進できる。
【００２５】  図２は、太陽光が本発明の複層ガラス体を透過する際、熱線、遠赤外線を除去する模式を示している。図において２１の太陽光は、一部は１３より反射して２２に示すように外部に排出する。外側１３のガラスの物質は、近赤外線０．７５μｍ〜４．０μｍを吸収する。可視光線は０．４μｍ〜０．７５μｍである。材質はコバルト、二酸化鉄、酸化錫等を含有した構造になっている。
【００２６】  このような物質を含んだガラス部材１３は、近赤外線、熱線とも呼ばれている太陽光の波長を１３の通過中に吸収される。遠赤外線は１３を通過して１２に到達する。１２の内側の間隙面には、遠赤外線反射剤がコーテングしてある。又は、フィルム状の透明伝導膜をガラス部材１２の内側に貼っておく。２４はコーテングによって反射された遠赤外線を示す。
【００２７】  １２のガラス部材は、酸化インジューム等を含有させて遠赤外線を吸収して遮断する。遠赤外線は電磁波である。電磁波は電場と磁場が交互に押し寄せる波である。太陽光はγ（ガンマ）から電波に至るまであらゆる波長の電磁波を含んでいる。その中で０．７５μｍ〜１，０００μｍの波長領域が遠赤外線である。
【００２８】  さらにその中で、４μｍ〜１，０００μｍの波長領域が遠赤外線である。遠赤外線は、電気極性を持つ分子に運動エネルギーを与える。分子に振動エネルギーを与えて運動を活発化させる。分子はもともと動いている。水素分子の速度は１．８ｋｍ／ｓｅｃ、まっすぐに走れる距離は、１．７８×１０−５ｃｍ、他の分子と衝突する回数は１秒間に１００億回と言われている。
【００２９】  遠赤外線エネルギーを得た分子は加速して他の分子と衝突する。そのとき衝突が熱になる。遠赤外線自体は熱でない。相手の分子に自己発熱を起こさせる電磁波である。遠赤外線は、有機物に吸収されやすく、吸収されると熱に変わる。熱の伝わりかたは、熱伝導、対流、放射の３種類ある。遠赤外線は、放射伝達だけである。熱は物質の表面を暖め、遠赤外線は物質の内部を暖めるという違いがある。
【００３０】  図２のＡ部は、ガラス体１２と１３の間に間隙を作るのと、両ガラス体を接着するスペーサの構成を示した詳細図である。１５は接着剤、両面テープであって、乾燥剤にて構成したスペーサ１６の半分弱に付けられている。１６ａはスペーサ、乾燥剤の突起部である。
【００３１】  ｔ１，ｔ２はスペーサ１６とガラス体１２，１３との空隙、間隙である。又、ｔ１は１３の接着剤の厚さであって、接着剤、両面テープは１６に示す乾燥剤含有スペーサの半分以下の長さにしてある。１６ａはその乾燥剤のみの突起部である。これは１６の乾燥効果が有効に働くために実装面から得られた工夫である。
【００３２】  なお、図２に示すように、ガラス部材１２，１３の長さを違えたほうが１７のビート剤の載りが強固になって防水効果に寄与できる。２１の太陽光は１３のガラス体に通過中に熱線（近赤外線）を吸収して、通過した遠赤外線は１２に塗布した遠赤外線反射効果によって、２４のように外部に反射されて中には入ってこない。
【００３３】  図３は、熱線（近赤外線）、遠赤外線の内部への侵入を防ぐ様子を示した模式図である。３４は太陽光であって、複層ガラスの外部面側３１を通過する。３６は３１によって一部反射して中には浸透しない反射光である。３８は３４の熱線が３１を通過中に吸収される挙動を示している。
【００３４】  ３２は室内側のガラス体にコーテング又は、透明なフィルム状の部材を貼った遠赤外線反射部材である。３１を通過した遠赤外線は３２によって３９のように反射して外部に排出される。室内には３７の可視光線のみ入ってくる。
【００３５】  ２９は３１より発生する熱線、近赤外線である。３８の遠赤外線をガラス体３１が吸収する際に、２９のような熱線が放出する。２９は３２の部材によって３０に示すように反射して３１のガラス部材に戻って行き、３３の中には浸透しない。
【００３６】  ガラス部材３１と３３の間隙、空隙ｔ０は、３１を通過した遠赤外線３９、熱線２９を反射して３１に戻すのに必要な間隙を設ける。例えば遠赤外線は波長４．０μｍ〜２５μｍ程度であるから、少なくとも０．１ｍｍもあれば十分である。従って、１波長以上の間隙、中空部を設けておけばよい。３１と３３のガラス部材の接着部構成に応じて複層ガラス体を極力薄くできる。従って、本案による複層ガラスは通常の板ガラスと同じ厚さであって、サッシの新規交換、加工無しに容易に取り  付け可能である。
【００３７】  図４は光波長とガラスの材質による透過率の関係を示した分光分布図である。４３は普通使われているクリアガラスであって、４２は熱線吸収ガラスである。４１は遠赤外線反射ガラスの特性である。
【００３８】  図３の模式図に示したように、外部ガラス３１に４２の特性をもったガラスを使って、内部ガラス３３に４１の特性を使うと効果的である。図４において４１と４２の特性がクロスする点が１．８μｍ近傍にある。４１，４２の特性のガラス体を使えば少なくとも熱線、遠赤外線の透過を防ぐ事ができる。
【００３９】  図５は本発明を応用した複層窓ガラスの例を示したものである。５１はガラス窓の枠体であって、５２はガラスと枠体を密着するサッシである。５３ａ、５３ｂ、５３ｃ、５３ｄは先に説明した乾燥剤を含有したスペーサである。本例では４隅に配置してある。サッシの内部にスペーサ５３とシーリング剤図１に示す１７，１８にてガラス部材周辺を封着してある。従って、図の１４は密閉状態にある。
【００４０】  ５２のサッシには、５３のスペーサを５４のガラス体の四隅に設けてあって、５４の周辺は、先に説明したシリコンゴム等で構成した図１に示す１７のシーリングで封着してある。５４は複層ガラスの表面であって、封着した複層ガラスの空隙１４に窒素ガス等を封入して曇りを防止する場合もある。本発明による構成を使う事によって、薄くて丈夫な防音、曇らないガラスを構成できる。なお、５３の点線部の位置に乾燥剤スペーサが配置されていることを示している。
【００４１】  図６は本発明による複層ガラスの立体模式図を示した。６１は室外に面したガラス体であって、６２は室内面のガラス体である。図に示すｔ０は６１，６２の間隙であって乾燥剤を含有したスペーサによってｔ０の値は決まる。ｔ０は極薄であって本案による複層ガラスの厚みは、従来の板ガラスと変わらないから、交換が容易である。
【００４２】  １５は接着剤であって、両面テープでも良い。このような構造体を図５にて示した４隅におけば、効果的な複層ガラスを形成できる。西日の遮光、防音、騒音の遮断、強度とも優れた効果を発揮する。
【００４３】  なお、図１の１４の中空層、間隙に１２又は、１３のガラス部材表面に図示していない破壊センサを貼り付けておいて、１１が破壊、破損したときに微弱電波によって報知すれば防犯、防災効果が得られる。破壊センサは、透明な超極薄のガラス基板上にＩＣタグを搭載した構成になっている。
【００４４】  破壊センサ基盤は数ｃｍの長さであって、導体をセンサにしている。導体が破壊、損傷するとインピーダンスの変化をＩＣタグが読み取って検出する。異常をＩＣタグから微弱電波によって外部にある受信機、ターミナルアダプタ、ゲートウェイが検知する。
【００４５】  異常を検知したターミナルアダプタは公衆回線、電話網に接続する。そして家宅人、責任者に知らせる。これらの責任者は携帯電話機、固定電話機によって異常を知ることができる。さらに異常の状態を、不正侵入か災害かを認識して必要に応じて最寄の警察、消防署に助けを求めることが可能である。
【００４６】  以上説明したように本発明による複層ガラス部材は、熱線、遠赤外線を遮断するから室内の住環境は快適になり、エアコンの効果と相乗して電力の節約になる。かつ防音、騒音を遮断してかつ薄く構成できて取り扱いが容易になるという二重の効果をもたらす。
【第２実施形態】
【００４７】  本実施形態は、ガラス材の破壊、不正侵入を検知するために第１実施形態にて説明した複層ガラス部材にタグコンピュータ（ＲＦＩＤ：ｒａｄｉｏ  ｆｒｅｑｕｅｎｃｙ  ｉｄｅｎｔｉｆｉｃａｔｉｏｎ、ＩＣタグ）を装着する構成を説明する。タグコンピュータは、ゴマ粒状であって数ミリ以下の大きさである。技術的には、ＣＰＵ（中央演算装置）、メモリ等コンピュータ処理に必要な機能があって、無線によってネットワークと連携をとるものである。
【００４８】  以下、図７乃至図８を基に本実施形態の説明をする。図７は、図１と同様に複層ガラス１１の断面図であって、ガラス材１２と１３の間の空間にＲＦＩＤ７１を装着している。図７では窓の外側のガラス材１３に貼り付けている。図において、７２は破壊センサで、かつアンテナの機能を持っている。７３は太陽電池である。７３が受動型の素子であれば電源としてソーラセル（太陽電池）を使えば７１は永久的に動作する。
【００４９】  図８は図６と同様に、立体でＲＦＩＤユニット７１、７２、７３を示している。窓の室外側に配置している様子を示している。不正侵入のガラス破壊をいち早く検知できるのと、７３のソーラセルは外光に面しているから電源の蓄積に適する。
【００５０】  図９は、複層ガラス１１の室外側６１のガラス材にＲＦＩＤ７１、ソーラセル７３を装着して、アンテナ、破壊検知センサ７２は室外側ガラス材１３の内側に透明な導電体塗料、又は薄膜７５を塗布した構成にした例である。このような構造にすると、アンテナ大きくなって、かつ破壊検知の感度と精度も良くなる。
【００５１】  図１０は、ＲＦＩＤユニットの内部構成を示した図である。図において、８１は各要素を結合するシステムバスで、８２はＲＦＩＤの高周波制御部であって、高周波電波の受信、発信の機能をもっている。８３はＣＰＵで演算処理部である。８４のＲＯＭはプログラムメモリであって、ＣＰＵの処理手順のプログラムが格納してある。８５はメモリで演算結果、外部７５より取り込んだデータを格納する記憶部である。
【００５２】  ８６は電源で、ここではソーラセルを使用する例を説明した。８７はグランド、アースである。７５はアンテナ、および破壊センサであって破談は、ガラス材１１が割れるとインピーダンスが変化する。この変化を８２は捉えて、８３のＣＰＵが処理する。ＲＦＩＤユニットは複層ガラス１１の外側１３に装着してある。室内側の１２だけが破壊したときには、検知できない。
【００５３】  このような場合に備えて、１１の内側に塗布した３２を導電薄膜にしておき、７１と結合しておけばどちらか一方が破壊しても検知できるし、アンテナ面は大きくなるから感度も良くなる。
【００５４】  図１１は、外部アンテナ７５、破壊センサを兼ね備えたアンテナの構成と効果を示した図である。使用する電波は、１３．６ＭＨＺか２．４５ＭＨＺが一般的である。アンテナ、センサは感度が良くてかつ小さい方が扱い易い。かつ電波の到達距離を長くするためにアンテナに最適設計が求められる。
【００５５】  アンテナ７２、７５は、ＲＦＩＤチップ７１の入力インピーダンスにあわせた設計が必要になる。図１１（ａ）に示すようにＲａより長く（大きく）することによって、＋ｊＸ成分をアンテナにて作り出せる。この特性を利用してＩＣチップ内のリアクタンス成分の制御が可能になる。破壊センサ特性を含めてリアクタンス成分を利用できる。
【００５６】  図１１（ｂ）は、アンテナ成分のインピーダンスとＲＦＩＤチップの入力インピーダンスを接続した時の等価回路の模式である。
【００５７】
【数１】
2008308402.tif 000003
【００５８】  数１は、大きくしたアンテナ、センサのインピーダンスであって、
【００５９】
【数２】
2008308402.tif 000004
【００６０】  数２は、ＲＦＩＤチップの入力インピーダンスである。このリアクタンス成分ＪＸの値を制御して限られた出力で電波到達距離を長くできる。図１１（ｂ）において、図の左部分の＋ＪＸとＲａはアンテナ、センサ部分であって、右の−ＪＸとＲｃはＲＦＩＤ部分である。センサ、アンテナの感度を上げるには、これらの値を制御する機能を備えておけば都合が良い。
【００６１】  図１２は家宅、オフィス等に設置されたＲＦＩＤを無線ネットワークにて相互に接続した例を示す。ＲＦＩＤは、空中線出力が微弱であって到達距離は僅かである。従ってこれらの出力値を受信するゲートウエイ（集端装置）を数箇所置く必要がある。電波の到達距離に限りがあるため、ＲＦＩＤ間の通信によって距離のあるゲートウエイまで伝達する方法を提案するものである。こうすることによって、ゲートウエイの数を減らせてコストの増加を長減る事が可能になる。
【００６２】  ワイヤレスネットワーク（無線ネットワーク）は、多数の同一のインテリジェントなセンサがネットワークを介して互いに通信する事にある。図１２の構成では、各ノード（ＲＦＩＤ）が定められた時間内に近隣のノードへメッセージを送信し、そのメッセージが目的のノードに伝えられていくまで、センサからセンサへと伝達される。
【００６３】  本案の場合、目的のノードは、９１のゲートウエイである。図１２では、ＲＦｎ１〜ｎｍまでのセンサ、ノードがある。本ワイヤレスセンサーネットワークにおいて、ノード即ちセンサは固定されているから静的な構成である。このような構成では、ネットワークの全領域がカバー出来るような、冗長パスが構成できる。
【００６４】  図１２の構成例では、ＲＦｎ１，ＲＦｎ６，ＲＦｎ１１，ＲＦｎ８を介して９１に情報が伝達される。パスは、ｌｎ１，ｌｎ２，ｌｎ３，ｌｎ４，ｌｎｍを通過する。他に近いノードがあって、このノードが何かの処理をして待ちが多くなったときには、他のパスを瞬時に探して９１に情報を伝える。ノード間を接続するパスは、センサ即ちノードの状態によって伝達経路が自在に変更する。
【００６５】  ９２は、９３のウェブサイトと接続する通信線であって、９４のインターネット網等の情報通信網に接続して情報は、目的の施設、端末機器等に伝達する。家宅の場合、ガラスの破断があって、賊の侵入のあった事を携帯電話機器等の端末機から家宅人は直ちに知る事ができる。
【００６６】  図１３は家宅のガラス窓、玄間ドアに破壊センサを設置した例を示す。１０１は家宅であって、１０２は設置したＲＦＩＤユニットである。ガラス窓は、複層ガラスを使用して省エネルギー、エコ構造になっている。断熱効果と１０２のセンサがあって、破断の検知、さらに設置場所、ガラス材の材質、設置年月日、特徴等の情報がＲＦＩＤに収まっている。
【００６７】  ９６の集端装置（ゲートウエイ）に情報は集められて９５のアンテナから公衆無線回線（携帯電話回線）を介して情報を発信する。９６は、ゲートウエイからアンテナまでの屋内通信線であって、９７は公衆無線電波である。又、９２の通信回線から９３のウェブサイトから９４のインターネット網を介して情報は、目的の端末機器に伝えられる。
【００６８】  以上説明したように本発明による複層ガラス部材は、熱線、遠赤外線を遮断するから室内の住環境は快適になり、エアコンの効果と相乗して電力の節約になる。かつ防音、騒音を遮断してかつ薄く構成できて取り扱いが容易になるという二重の効果をもたらす。
【００６９】  さらに複層ガラスの内部にＲＦＩＤを装着して、破断、破壊を検知して通信情報網を介して家宅人に迅速に通報システムを安価に構成できる。ＲＦＩＤは、ネットワークセンサシステムとして相互に情報を送受信して、ゲートウエイに情報を伝達できるから電波到達距離を気にしないでシステム構築が可能になるという優位性がある。
【図面の簡単な説明】
【００７０】
【図１】  複層ガラス部材の断面構成図である。
【図２】  太陽光の吸収と反射を示す模式図である。
【図３】  本発明による複層ガラス部材の原理を示す図である。
【図４】  ガラス部材の透過率を示す分光分布図である。
【図５】  本複層ガラス部材を使った窓ガラスの応用図である。
【図６】  本発明によるスペーサの構成と太陽光の挙動を示した模式図である。
【図７】  複層ガラス部材にＩＣタグを装着した例を示す断面構成図である。
【図８】  複層ガラス部材にＩＣタグを装着した例を示す立体断面図である。
【図９】  ガラス部材に透明導電剤を塗布してアンテナ、センサの感度を高めてＩＣタグを装着した例を示す図である。
【図１０】  ＩＣタグの構成を示す図である。
【図１１】  アンテナ、センサとＩＣタグの効果を示す図である。
【図１２】  ＩＣタグを使用したワイヤレスネットワークの構成を示す図である。
【図１３】  家宅、オフィスにＩＣタグを設置した構成例である。
【符号の説明】
【００７１】１１                複層ガラス体の断面構成
１２、３３、６２    内部ガラス部材
１３、３１、６１    外部ガラス部材
１４                間隙、空隙
１５                接着剤、両面テープ
１６                スペーサ、乾燥剤
１６ａ              スペーサ乾燥剤突起部
１７、１８          シーリング、ビート
１９、１９‘        乾燥剤、スペーサとの隙間
２１、３４          太陽光
２２、３６          反射光
２３、３７          透過光
２４、３０、３９    熱線、遠赤外線反射光
２７、２８          接着用導電材、接合用バネ機構要素
２９                熱線、遠赤外線
３２                熱線遠赤外線反射コーテング、熱線反射透明伝導フィルム
３８                熱線、遠赤外線吸収
４１                遠赤外線反射ガラス
４２                熱線吸収ガラス
４３                クリアガラス
５１                窓ガラス枠体
５２                サッシ
５３                乾燥剤含有スペーサの配置
５４                複層ガラス体
７１                ＲＦＩＤ、ＩＣタグ
７２                破壊検知センサ、アンテナ
７３                太陽電池、ソーラセル
７５                透明導電体、透明導電塗料、フィルム
８１                ＩＣタグユニットのシステムバス
８２                高周波処理部、送受信部
８３                ＣＰＵ、演算装置
８４                ＲＯＭ、プログラムメモリ
８５                メモリ
８６                電源部
８７                グランド、アース
９１                ゲートウエイ、無線集端装置
９２                通信回線
９３                ウェブサイト
９４                通信情報網、インターネット網
９５                公衆無線、放送波アンテナ
９６                屋内通信線
９７                公衆無線電波、携帯無線電波
１０１              家宅、オフィス
１０２              ＩＣタグ、ＲＦＩＤ
【図１】
2008308402.tif 000005
【図２】
2008308402.tif 000006
【図３】
2008308402.tif 000007
【図４】
2008308402.tif 000008
【図５】
2008308402.tif 000009
【図６】
2008308402.tif 000010
【図７】
2008308402.tif 000011
【図８】
2008308402.tif 000012
【図９】
2008308402.tif 000013
【図１０】
2008308402.tif 000014
【図１１】
2008308402.tif 000015
【図１２】
2008308402.tif 000016
【図１３】
2008308402.tif 000017